(57)【特許請求の範囲】
【請求項１】
第１接点部を有していてシャッタ地板に対して所定の間隔を空けて取り付けられている金属製の支持板と、第２接点部と前記支持板に対して接触している接触部とを有していて電源に接続されている第１の接点部材と、前記第１接点部に接離可能な第３接点部と前記第２接点部に接離可能な第４接点部とを有していて電源に接続されており該第３接点部と前記第１接点部とで第１スイッチを構成し該第４接点部と前記第２接点部とで第２スイッチを構成している第２の接点部材と、前記シャッタ地板と前記支持板との間に配置されていてレリーズ後に先羽根用電磁石に対する通電が断たれると先羽根に露光作動を行なわせるための作動を開始しその後前記二つのスイッチの一方を操作する先羽根用駆動部材と、前記シャッタ地板と前記支持板との間に配置されていてレリーズ後に後羽根用電磁石に対する通電が断たれると後羽根に露光作動を行なわせるための作動を開始しその後前記二つのスイッチの他方を操作する後羽根用駆動部材と、を備えていて、前記二つの駆動部材の少なくとも一方が所定の時機より早く前記の作動を開始したときだけ、前記二つのスイッチの少なくとも一方が、その作動を異常作動として検出するようにしたことを特徴とするカメラ用フォーカルプレンシャッタ。
【請求項２】
前記第１の接点部材が前記接触部を有しておらず、前記第１接点部が前記第１の接点部材に設けられていることを特徴とする請求項１に記載のカメラ用フォーカルプレンシャッタ。
【請求項３】
前記二つのスイッチのうち後羽根用駆動部材によって操作されるスイッチが、仲介部材を介して操作されるようにしたことを特徴とする請求項１又は２に記載のカメラ用フォーカルプレンシャッタ。
【請求項４】
前記二つの駆動部材が前記の所定の時機に作動を開始した場合には、前記二つのスイッチのうち先羽根用駆動部材によって操作されるスイッチが、フラッシュ発光用のスイッチとして機能し得るようにしたことを特徴とする請求項１乃至３の何れかに記載のカメラ用フォーカルプレンシャッタ。
【発明の詳細な説明】
【０００１】
【発明の属する技術分野】
本発明は、撮影に際して、先羽根と後羽根とを同一方向へ順次作動させ、その両者間に形成されたスリットにより、露光を行なうようにしたカメラ用のフォーカルプレンシャッタに関する。
【０００２】
【従来の技術】
最近のフォーカルプレンシャッタの多くは、夫々が複数のアームと１枚以上の羽根とで構成された先羽根と後羽根とを有していて、露光作動に際しては、先羽根用電磁石と後羽根用電磁石に対する通電が順に断たれたとき、それによって直接又は間接に保持力を解除された先羽根用駆動部材と後羽根用駆動部材によって作動させられるようになっている。そして、次の露光作動が行なわれる前までには、セット部材が初期位置から作動して、各駆動部材をセット位置へ作動させるようにしている。しかし、その後、セット部材を初期位置へ復帰させる時機については二つのタイプが知られており、次の撮影に際してレリーズ操作が行なわれる前に復帰させてしまうものと、レリーズ操作が行なわれてから復帰させるようにしたものとがある。そして、前者のタイプの場合には、各駆動部材をセット位置で係止しておく部材が必要になるが、設計仕様によってはそのような部材を後者のタイプのものに設けることも可能となっている。
【０００３】
ところが、この種のフォーカルプレンシャッタにおいては、上記のように、撮影時において、電磁石が各駆動部材の作動の開始時機を制御しているため、断線等があって電磁石に通電されなかったり、電池の消耗によって所定の電流が供給されなかったり、電磁石の吸着面にゴミや汚れが付いていたり、電磁石と被吸着部材との組立精度が悪かったりすると、電磁石による所定の吸着保持機能が得られず、各駆動部材が、所定の作動開始時機を待たずに作動を開始してしまうことがある。そのため、シャッタの中には、従来からそのようにして行なわれる異常作動を的確に検出できるようにした構成を備えたものが知られている。そして、その代表的なものの一つとして、各々が二つの接点部材からなるスイッチを二つ設け、一方のスイッチを先羽根用駆動部材の作動軌跡内に配置し、他方のスイッチを後羽根用駆動部材の作動軌跡内に配置するようにしたものが知られている。
【０００４】
また、上記のように二つのスイッチを設けず、一つのスイッチを設けるだけで、先羽根用駆動部材の異常作動と後羽根用駆動部材の異常作動の両方を検出できるようにしたものが、特開平８−３０４８７６号公報で知られている。そして、その構成は、撮影時に、先羽根用電磁石の吸引力不足によって先羽根用駆動部材が所定のタイミングよりも早く作動を開始した場合には、そのタイミングが早かったことを検出して、異常作動が行なわれたことを認識できるようにし、後羽根用電磁石の吸引力不足によって、後羽根用駆動部材が先羽根用駆動部材よりも先に作動を開始してしまった場合には、後羽根用駆動部材によって作動させられる後羽根のアームが先羽根用駆動部材を押し、所定のタイミングよりも早く先羽根用駆動部材を作動させることによって、異常作動が行なわれたことを認識できるようにしている。
【０００５】
【発明が解決しようとする課題】
ところで、上記した二つの従来例のうち前者の従来例は、スイッチを二つ設けることにより独立した接点部材を四つも必要としているため、部品点数のうえで改善の余地がある。また、それらの接点部材を一つ一つプリント配線板等に手作業でハンダ付けしなければならないため、作業工数の点からも問題である。その点、後者の従来例は、スイッチを一つ設けるだけであるから、接点部材が二つでよく、その点だけを比較した場合には、前者の従来例よりも明らかに有利である。しかしながら、その反面、そのほかの点で、性能的，コスト的に配慮しなければならないこともないわけではない。
【０００６】
即ち、後者の従来例の場合には、後羽根用電磁石の吸引力不足によって後羽根用駆動部材が所定のタイミングより早く作動を開始した場合、薄くて軽い材料で製作されているアームが、先羽根用駆動部材を強制的に作動させるようにしているため、アームが変形したり破損してしまう可能性がある。そして、もし、そのようなことが生じた場合には、単に電磁石の吸引力不足の原因を取り除けばよいだけでなく、後羽根の修理，交換まで余儀なくさせられる可能性が生じてくる。また、後羽根の一方のアームの面積を大きくする必要があるため、その分だけ、露光作動時における後羽根の走行速度が遅くなり、先羽根とのバランス調整が面倒になる。更に、この種のシャッタの場合には、仕様上の特別な要求がない限り、共通部品化を図るべく先羽根と後羽根のリンク構成を同じにし、地板への組み付けに際しては、向きを変えて取り付ければよいようにしているが、そのような構成にしたい場合でもそれができなくなる分だけコスト面で不利になる。
【０００７】
本発明は、このような問題点を解決するためになされたものであり、その目的とするところは、接点部材の部品点数が最小限で済み、且つ設計上特に先羽根及び後羽根のリンク機構の構成を変えることなく、先羽根用駆動部材と後羽根用駆動部材の異常作動を個別の接点部によって検出できるようにしたカメラ用フォーカルプレンシャッタを提供することである。
【０００８】
【課題を解決するための手段】
上記の目的を達成するために、本発明のカメラ用フォーカルプレンシャッタは、第１接点部を有していてシャッタ地板に対して所定の間隔を空けて取り付けられている金属製の支持板と、第２接点部と前記支持板に対して接触している接触部とを有していて電源に接続されている第１の接点部材と、前記第１接点部に接離可能な第３接点部と前記第２接点部に接離可能な第４接点部とを有していて電源に接続されており該第３接点部と前記第１接点部とで第１スイッチを構成し該第４接点部と前記第２接点部とで第２スイッチを構成している第２の接点部材と、前記シャッタ地板と前記支持板との間に配置されていてレリーズ後に先羽根用電磁石に対する通電が断たれると先羽根に露光作動を行なわせるための作動を開始しその後前記二つのスイッチの一方を操作する先羽根用駆動部材と、前記シャッタ地板と前記支持板との間に配置されていてレリーズ後に後羽根用電磁石に対する通電が断たれると後羽根に露光作動を行なわせるための作動を開始しその後前記二つのスイッチの他方を操作する後羽根用駆動部材と、を備えていて、前記二つの駆動部材の少なくとも一方が所定の時機より早く前記の作動を開始したときだけ、前記二つのスイッチの少なくとも一方が、その作動を異常作動として検出するようにする。
【０００９】
また、本発明のカメラ用フォーカルプレンシャッタにおいては、前記第１の接点部材が前記接触部を有しておらず、前記第１接点部が前記第１の接点部材に設けられているようにしてもよい。
【００１０】
また、本発明のカメラ用フォーカルプレンシャッタにおいては、前記二つのスイッチのうち後羽根用駆動部材によって操作されるスイッチが、仲介部材を介して操作されるようにすると、好適な構成となる。
【００１１】
更に、本発明のカメラ用フォーカルプレンシャッタにおいては、前記二つの駆動部材が前記の所定の時機に作動を開始した場合、前記二つのスイッチのうち先羽根用駆動部材によって操作されるスイッチが、フラッシュ発光用のスイッチとして機能し得るようにすると、従来と同様な兼用スイッチが得られる。
【００１２】
【発明の実施の形態】
本発明の実施の形態を、図１〜図４に示した第１実施例と、図５〜図８に示した第２実施例と、図９〜図１２に示した第３実施例とによって説明する。尚、各図は、カメラに組み込まれた状態において被写体側から視たときの左側の一部分だけを示した平面図であって、図１，図５，図９は、露光作動終了直後の状態を示したものであり、図２，図６，図１０は、セット状態を示したものであり、図３，図７，図１１は、先羽根群の露光作動は終了したが後羽根群は未だ露光作動を開始していない状態を示したものであり、図４，図８，図１２は、後羽根用駆動部材の異常作動の検出状態を示したものである。
【００１３】
また、各実施例において共通する部材及び部位には、夫々の図面において同じ符号を用いている。また、各実施例の構成の説明にあたっては、被写体側を表面側と称し、フィルム面等の結像面側を背面側と称することにする。更に、各実施例においては、先羽根と後羽根が、各々二つのアームと、それらに枢支された複数枚の羽根とで構成されている。従って、各実施例の説明に際しては、それらの先羽根と後羽根を、先羽根群，後羽根群と称することにする。
【００１４】
［第１実施例］
先ず、本実施例の構成を説明する。図１において、シャッタ地板１の略中央部には長方形を横長にした開口部１ａが形成されている。しかし、上記したように、図１はシャッタを被写体側から視て左側の部分だけを示したものであるから、その開口部１ａについても、左側の一部だけが示されている。また、図示していないが、シャッタ地板１の背面側には、所定の間隔を空けて、中間板と補助地板が順に取り付けられており、シャッタ地板１と中間板との間に先羽根群の羽根室を形成し、中間板と補助地板との間に後羽根群の羽根室を形成している。そして、中間板と補助地板にも、開口部１ａと類似の開口部が形成されていて、通常は、それらの三つの開口部を重ね合わせて露光開口を規制するようにしているが、本実施例においては、開口部１ａの形状が露光開口を規制しているものとして説明する。
【００１５】
開口部１ａの左側には、円弧状の二つの長孔１ｂ，１ｃが形成されており、それらの下方端部には、平面形状が略Ｃ字状をした周知の緩衝部材２，３が取り付けられている。また、シャッタ地板１の表面側には、軸１ｄ，１ｅ，１ｆ，１ｇ，１ｈが立設され、背面側には、軸１ｉ，１ｊが立設されているが、それらのうち、軸１ｄ，１ｅは背面側に突き出ていて、そこにも軸部を形成している。また、表面側に立設されている軸１ｄ，１ｅ，１ｆ，１ｇ，１ｈの先端部は小径部となっていて、それらのうち、軸１ｇ，１ｈの先端面には、ねじ孔１ｇ1，１ｈ1が形成されている。そして、一点鎖線で示した支持板４と二点鎖線で示したプリント配線板５とは、支持板４をシャッタ地板１側にして重ね、それらに形成されている位置決め孔を、軸１ｄ，１ｅ，１ｆ，１ｇ，１ｈの小径部に嵌合させ、ねじ孔１ｇ1，１ｈ1に、図示していないビスを夫々螺合させることによって取り付けられている。
【００１６】
その支持板４は、比較的薄い導電性の金属板で製作されており、上記した位置決め孔のほかにも、シャッタ地板１側に折り曲げられた沢山の折曲部が設けられている。そして、それらの折曲部の一部には、特開平９−１３３９４４号公報に記載されている方法に準じて、先羽根用電磁石と後羽根用電磁石が取り付けられているが、各図においては、夫々の電磁石の鉄芯部材６，７のみが一点鎖線で示されている。また、その鉄芯部材６，７は、上記の公報の記載からも分かるように、実際にはコ字状をしていて、二つの磁極部の一方にはボビンに巻回されたコイルを嵌装している。更に、二つの折曲部がラチェット爪４ａ，４ｂとして形成されており、一つの折曲部がスイッチ用の接点部４ｃとして形成されている。
【００１７】
また、上記のプリント配線板５には、その背面側に二つの接点部材８，９が取り付けられているが、便宜上、それらの接点部材８，９についても、プリント配線板５と同様に二点鎖線で示してある。そして、一方の接点部材８は、一部を折り曲げてスイッチ用の接点部８ａを形成し、且つ軸１ｈの近傍で支持板４に接触させた接触部８ｂを有している。また、もう一つの接点部材９には、二つの折曲部がスイッチ用の接点部９ａ，９ｂとして形成されており、接点部９ａは上記の接点部８ａと第１スイッチを構成し、接点部９ｂは上記の接点部４ｃと第２スイッチを構成している。そして、その第１スイッチは、後述の説明から分かるように、フラッシュ用のシンクロスイッチと異常作動検出用のスイッチの両方を兼ねるようになっている。
【００１８】
シャッタ地板１の表面側において、軸１ｄには、シャッタ地板１側から、先羽根用駆動部材１０と、ラチェット部材１１とが、個々に回転可能に取り付けられている。先羽根用駆動部材１０は、合成樹脂製であって、被押動部１０ａと、駆動ピン１０ｂと、取付部１０ｃと、その取付部１０ｃの表面側に形成された押動部１０ｄとを有している。それらのうち、駆動ピン１０ｂは、背面側に設けられており、根元部の断面形状がＤ字形をし、先端部の断面形状が小判型をしている。そして、その根元部は緩衝部材２に当接し得るようになっていて、先端部は長孔１ｂを貫通し、シャッタ地板１の背面側に突き出ている。また、取付部１０ｃの内部には、図示していないばねを介在させて鉄片部材１２が取り付けられているが、その具体的な取付け構成は周知であって、且つ本発明とは直接関係がないので、その詳細な説明を省略する。更に、押動部１０ｄは、上記の接点部９ａを押し、接点部８ａに接触させ得るようになっている。
【００１９】
また、周知であるため図示していないが、先羽根用駆動部材１０とラチェット部材１１の間には、先羽根用駆動ばねが掛けられている。そして、その先羽根用駆動ばねは、先羽根用駆動部材１０を時計方向へ回転させるように付勢している。従って、その付勢力は、ラチェット部材１１に対しては反時計方向へ回転させるように作用しているが、その回転は、上記したラチェット爪４ａの先端が、ラチェット部材１１の外周面に形成されたラチェット歯に係合し、阻止されるようになっている。尚、このような構成は周知であって、製作時において、ラチェット爪４ａを撓ませ、それに係合するラチェット歯を選択することによって、先羽根用駆動ばねの付勢力が調整できるようになっている。
【００２０】
シャッタ地板１の表面側において、軸１ｅには、シャッタ地板１側から、後羽根用駆動部材１３と、ラチェット部材１４とが、個々に回転可能に取り付けられている。そして、後羽根用駆動部材１３は、合成樹脂製であって、被押動部１３ａと、駆動ピン１３ｂと、取付部１３ｃと、その取付部１３ｃの表面側に設けられた押動部１３ｄとを有している。それらのうち、駆動ピン１３ｂは、断面が円形をしている根元部が緩衝部材３に当接し得るようになっていて、小判型をしている先端部が長孔１ｃを貫通している。また、取付部１３ｃの内部には、鉄片部材１５が、周知のようにして、図示していないばねを介在させて取り付けられている。更に、押動部１３ｄは、上記の接点部９ｂを押し、接点部４ｃに接触させ得るようになっている。
【００２１】
更に、後羽根用駆動部材１３とラチェット部材１４との間には、図示していない後羽根用駆動ばねが掛けられていて、後羽根用駆動部材１３を時計方向へ回転させるように付勢している。そして、ラチェット部材１４の外周面に形成されたラチェット歯には、支持板４のラチェット爪４ｂが、上記したラチェット部材１１とラチェット爪４ａの場合と同様にして、係合している。
【００２２】
シャッタ地板１の軸１ｆには、合成樹脂製のセット部材１６が回転可能に取り付けられている。このセット部材１６は、図示していない復帰ばねの付勢力によって、反時計方向へ回転するように付勢されているが、図１においては、その回転を図示していないストッパによって阻止されている。以下、セット部材１６については、この位置を初期位置と称することにする。また、このセット部材１６は、押動部１６ａ，１６ｂと、被押動部１６ｃとを有していて、図１において時計方向へ回転したとき、押動部１６ａは先羽根用駆動部材１０の被押動部１０ａを押し、押動部１６ｂは後羽根用駆動部材１３の被押動部１３ａを押すようになっている。
【００２３】
次に、シャッタ地板１の背面側に配置されている先羽根群と後羽根群の構成を説明する。先ず、先羽根群は、軸１ｄの背面側の軸部と軸１ｉとに対して回転可能に取り付けられている二つのアーム１７，１８と、それらの先端部に向けて順に枢支された複数枚の羽根とで構成されている。しかし、その具体的な枢支構成は周知であるため、本実施例においては、図面を見易くするために、それらのアーム１７，１８の最先端部に枢支されたスリット形成羽根１９だけを示している。そして、アーム１７に形成された孔には、上記の駆動ピン１０ｂが嵌合している。他方、後羽根群は、軸１ｅの背面側の軸部と軸１ｊとに対して回転可能に取り付けられた二つのアーム２０，２１と、それらの先端部に向けて順に枢支された複数枚の羽根とで構成されているが、本実施例においては、アーム２０，２１の最先端部に枢支されたスリット形成羽根２２だけを示している。そして、アーム２０に形成された孔には、上記の駆動ピン１３ｂが嵌合している。
【００２４】
次に、本実施例の作動を説明する。図１は、露光作動終了直後の状態を示している。従って、先羽根用駆動部材１０は、図示していない先羽根用駆動ばねの付勢力によって時計方向へ回転されていて、駆動ピン１０ｂを緩衝部材２に当接させることにより、この停止状態が維持されている。また、第１スイッチを構成している二つの接点部８ａ，９ａは、接点部９ａが先羽根用駆動部材１０の押動部１０ｄに押されることによって接触させられている。そして、スリット形成羽根１９しか示していない先羽根群の複数枚の羽根は、重畳されて開口部１ａの下方位置に格納されている。
【００２５】
他方、後羽根用駆動部材１３は、図示していない後羽根用駆動ばねの付勢力によって時計方向へ回転されていて、駆動ピン１３ｂを緩衝部材３に当接させることにより、停止状態が維持されている。このとき、第２スイッチを構成している二つの接点部４ｃ，９ｂは、接点部９ｂが後羽根用駆動部材１３の押動部１３ｄに押されることによって接触させられている。そして、スリット形成羽根２２しか示していない後羽根群の複数枚の羽根は、展開されて開口部１ａを覆っている。
【００２６】
本実施例のセット作動は、図示していないカメラ本体側の部材がセット部材１６を時計方向へ回転させることによって行なわれる。即ち、カメラ本体側の部材がセット部材１６の被押動部１６ｃを押し、図示していない復帰ばねの付勢力に抗して時計方向へ回転させると、先ず、セット部材１６の押動部１６ａが先羽根用駆動部材１０の被押動部１０ａを押し、先羽根用駆動ばねの付勢力に抗して反時計方向へ回転させていく。また、この回転によって、接点部９ａに対する押動部１０ｄによる押圧力が解かれていくので、接点部９ａが自己の弾性によって接点部８ａから離れていく。他方、先羽根用駆動部材１０の駆動ピン１０ｂがアーム１７を反時計方向へ回転させるので、先羽根群の複数枚の羽根は展開されつつ上方へ移動していく。
【００２７】
その後、先羽根群のスリット形成羽根１９と、後羽根群のスリット形成羽根２２との重なり量が所定量に達すると、セット部材１６の押動部１６ｂが被押動部１３ａを押し、後羽根用駆動部材１３を反時計方向へ回転させていく。そのため、この回転によって、接点部９ｂに対する押動部１３ｄによる押圧力が解かれていくので、接点部９ｂが自己の弾性によって接点部４ｃから離れていく。他方、駆動ピン１３ｂがアーム２０を反時計方向へ回転させるので、後羽根群の複数枚の羽根は重なり量を大きくしつつ上方へ移動されていく。
【００２８】
そして、その後、各駆動部材１０，１３に取り付けられた鉄片部材１２、１５が、各電磁石の鉄芯部材６，７に接触すると、その直後にセット部材１６の回転が停止される。その停止状態が、図２に示されたセット状態であり、このとき、後羽根群の複数枚の羽根は重畳状態となって開口部１ａの上方位置に格納されており、先羽根群の複数枚の羽根は展開状態となって開口部１ａを覆っている。そして、セット部材１６は、次の撮影が行なわれるまで、その状態を維持されている。
【００２９】
次の撮影に際して、カメラのレリーズボタンが押されると、先ず、各電磁石のコイルに通電され、鉄片部材１２，１５が鉄芯部材６，７に吸着保持される。次に、図示していないカメラ本体側の部材が、セット部材１６の被押動部１６ｃに対する押圧力を解いていくので、セット部材１６は、図示していない復帰ばねの付勢力によって反時計方向へ回転され、初期位置へ復帰する。その後、最初に先羽根用電磁石のコイルに対する通電が断たれ、所定時間後には後羽根用電磁石に対する通電が断たれることになるが、先ずは、フラッシュ撮影モードで行なわれる露光作動を説明する。
【００３０】
先羽根用電磁石のコイルに対する通電が断たれると、鉄片部材１２に対する鉄芯部材６の吸引力が失われ、先羽根用駆動部材１０は、図示していない先羽根用駆動ばねの付勢力によって時計方向へ急速に回転させられる。そのため、駆動ピン１０ｂがアーム１７を時計方向へ回転させるので、先羽根群の複数枚の羽根は下方へ移動し、スリット形成羽根１９の上端縁によって開口部１ａを開放していく。そして、開口部１ａを全開にした段階になると、先羽根用駆動部材１０の押動部１０ｄが接点部材９の接点部９ａを押し、接点部材８の接点部８ａに接触させる。そのため、第１スイッチがオン状態となってフラッシュを発光させる。そして、略同時に、駆動ピン１０ｂが緩衝部材２に当接し、先羽根用駆動部材１０と先羽根群の作動が停止する。その状態が図３に示されている。
【００３１】
その後、後羽根用電磁石のコイルに対する通電が断たれると、鉄片部材１５に対する鉄芯部材７の吸引力が失われ、後羽根用駆動部材１３は、図示していない後羽根用駆動ばねの付勢力によって時計方向へ急速に回転させられる。それによって、駆動ピン１３ｂがアーム２０を時計方向へ回転させるので、後羽根群の複数枚の羽根は、重なり量を小さくしつつ下方へ移動し、スリット形成羽根２２の下端縁によって開口部１ａを覆っていく。そして、開口部１ａを完全に覆った段階になると、後羽根用駆動部材１３の押動部１３ｄが接点部材９の接点部９ｂを押し、支持板４の接点部４ｃに接触させるが、この場合には、レリーズ後の予め決められている時間を既に経過してしまっているので、そのようにして第２スイッチがオン状態になっても、そのオン信号は無視される。そして、その直後には、駆動ピン１３ｂが緩衝部材３に当接して、後羽根用駆動部材１３と後羽根群の作動が停止し、撮影が終了する。その状態が図１に示されている。
【００３２】
フラッシュ撮影モードでなく、通常の撮影モードで撮影する場合は、先羽根群が開口部１ａを開放（全開）状態にする前に後羽根群の露光作動を開始させるようにする場合が多い。従って、その場合には、先羽根用駆動部材１０と後羽根用駆動部材１３が、図示していない先羽根用駆動ばねと後羽根用駆動ばねの付勢力によって、相次いで急速に時計方向へ回転させられ、各駆動ピン１０ｂ，１３ｂによって、各アーム１７，２０を時計方向へ回転させることになる。そのため、先羽根群のスリット形成羽根１９と後羽根群のスリット形成羽根２２とで形成されるスリットにより、結像面の露光が行なわれていく。
【００３３】
そして、露光作動の終了段階になると、先ず、先羽根用駆動部材１０が、その押動部１０ｄで第１スイッチをオン状態にしてから、駆動ピン１０ｂを緩衝部材２に当接させて停止し、続いて、後羽根用駆動部材１３が、その押動部１３ｄで第２スイッチをオン状態にしてから、駆動ピン１３ｂを緩衝部材３に当接させて停止する。但し、この場合には、第１スイッチがオン状態となっても、フラッシュ撮影モードではなく、しかも、レリーズ後の予め決められている時間を既に経過してしまっているので、そのオン信号は無視される。また、第２スイッチもオン状態になるが、フラッシュ撮影モードの場合と同様に、レリーズ後の予め決められている時間を既に経過してしまっているので、そのオン信号も無視される。
【００３４】
次に、各駆動部材１０，１３が異常作動を行なった場合を説明するが、先ずは、先羽根用駆動部材１０のみが異常作動を行なった場合について説明する。図２の状態において、カメラのレリーズボタンが押されると、各電磁石に対して通電が行なわれる。その後、上記したようにして、セット部材１６が反時計方向へ回転すると、先ず、セット部材１６の押動部１６ｂが後羽根用駆動部材１３の被押動部１３ａから離れるが、鉄片部材１５が鉄芯部材７に確実に吸着されているので、後羽根用駆動部材１３は、露光作動開始位置に保持される。
【００３５】
セット部材１６の押動部１６ｂが後羽根用駆動部材１３の被押動部１３ａから離れた後、セット部材１６の押動部１６ａが先羽根用駆動部材１０の被押動部１０ａから離れる。そのとき、鉄片部材１２が鉄芯部材６に十分に吸着保持されていないと、先羽根用駆動部材１０は、先羽根用電磁石に対する通電の正規の遮断時機を待たずに、上記したセット部材１６の初期位置への復帰作動に追従して、先羽根用駆動ばねの付勢力によって時計方向へ大きく回転してしまう。そのため、先羽根群のスリット形成羽根１９が開口部１ａを全開にした段階で、先羽根用駆動部材１０の押動部１０ｄが接点部材９の接点部９ａを押し、接点部材８の接点部８ａに接触させ、第１スイッチをオン状態にしてしまう。
【００３６】
しかし、フラッシュ装置は、先羽根用電磁石に対する通電を遮断する正規の時機から機能し得るようになっているため、たとえフラッシュ撮影のモードになっていたとしても、フラッシュを発光させてしまうことがない。逆に、所定の時機よりも早く第１スイッチがオン状態になった場合には、その瞬間に異常検出回路が機能し、その後に、先羽根用電磁石に対する正規の遮断時機が到来しても、フラッシュ装置が機能しないようにしてしまう。そのため、所定の時機よりも早く第１スイッチがオン状態になった場合には、そのオン信号によって、異常作動が行なわれたことを表示装置に表示し、撮影者に認識させるようにする。他方、後羽根用駆動部材１３の方は、その後に正規の作動を開始させられるので、既に説明したように、第２スイッチがオン状態になっても、そのオン信号を無視され、図１に示された状態となる。
【００３７】
次に、後羽根用駆動部材１３のみが異常作動を行なった場合について説明する。図２の状態において、カメラのレリーズボタンが押されると、各電磁石に対して通電が行なわれる。その後、セット部材１６が、反時計方向へ回転させられる。そして、セット部材１６の押動部１６ｂが後羽根用駆動部材１３の被押動部１３ａから離れる段階になると、鉄片部材１５が鉄芯部材７によって十分に吸着保持されていないため、後羽根用駆動部材１３は、後羽根用電磁石に対する通電の正規の遮断時機を待たずに、セット部材１６の初期位置への復帰作動に追従して、後羽根用駆動ばねの付勢力によって時計方向へ大きく回転してしまう。
【００３８】
そのため、後羽根群のスリット形成羽根２２が開口部１ａを正規に閉鎖したときと同じ段階で、後羽根用駆動部材１３の押動部１３ｄが接点部材９の接点部９ｂを押し、支持板４の接点部４ｃに接触させ、第２スイッチをオン状態にしてしまう。そして、このように、後羽根用駆動部材１３が、正規に露光作動を開始するときの最も早い時機よりも早く作動を開始し、第２スイッチをオン状態にした場合には、異常検出回路が機能し、異常作動が行なわれたことを表示装置に表示し、撮影者に認識させるようにする。そのときの状態が図４に示されている。また、そのようにして異常検出回路が機能すると、たとえフラッシュ撮影モードになっていて、先羽根用駆動部材１０が正規の時機に作動を開始した場合でも、第１スイッチのオン状態は無視され、フラッシュが発光されないようにしてしまう。
【００３９】
最後に、先羽根用駆動部材１０と後羽根用駆動部材１３の両方が異常作動を行なった場合について説明をしておく。その場合には、これまでの説明からも分かるように、後羽根用駆動部材１３の異常作動が先に開始されるので、後羽根用駆動部材１３のみが異常作動を行なったときの上記の説明に準じて異常検出が行なわれる。しかし、本発明は、そのような実施態様に限定されるない。即ち、先羽根用駆動部材１０の異常作動が先に開始されるような構成にしても差し支えないし、実際上は難しいが、二つの駆動部材１０，１３が同時に異常作動を開始するような構成にしても構わない。また、第２スイッチは、後羽根用駆動部材１３のどの作動位置でオン状態にされても構わないものであるし、第１スイッチも、フラッシュ用スイッチと兼用にしない場合は、先羽根用駆動部材１３のどの作動位置でオン状態にされても構わないものである。しかし、いずれの場合であっても、異常作動は、正規に作動を開始する場合よりも早い時機に作動を開始するので、第１スイッチと第２スイッチの少なくとも一方がオン状態となったときには、異常検出回路が機能し、異常作動が行なわれたことを表示装置に表示することになる。
【００４０】
尚、本実施例においては、接点部材８の接点部８ａと接点部材９の接点部９ａで第１スイッチを構成し、接点部材９の接点部９ｂと支持板４の接点部４ｃとで第２スイッチを構成しているが、支持板４の接点部４ｃを接点部９ａの近傍位置に設けて、接点部４ｃと接点部９ａによって第１スイッチを構成し、他方、接点部材８の接点部８ａを接点部９ｂの近傍位置まで延伸させ、接点部８ａと接点部９ｂによって第２スイッチを構成するようにしても差し支えない。また、本実施例における第１スイッチと第２スイッチは、第１スイッチが先羽根用駆動部材１０の検出を行ない、第２スイッチが後羽根用駆動部材１３の位置検出を行なうものとしているが、上記のように構成しても差し支えないことから、請求項の記載における第１スイッチと第２スイッチは、同じ表現にはなっていても、本実施例の態様における第１スイッチと第２スイッチに限定されるものではない。このことは、後述する他の実施例の場合も同じである。
【００４１】
［第２実施例］
次に、図５〜図８を用いて，第２実施例を説明する。本実施例の構成は、その殆どが第１実施例の構成と同じである。そのため、実質的に同じ部材，部位には同じ符号を付け、それらについての説明を省略することとし、異なる点だけを説明する。本実施例においては、シャッタ地板１の軸１ｆに、セット部材１６のほか仲介部材２３が取り付けられている。そして、セット部材１６と仲介部材２３とは個々に回転可能であり、セット部材１６がシャッタ地板１側に配置され、仲介部材２３が支持板４側に配置されている。
【００４２】
また、この仲介部材２３は、被押動部２３ａと押動部２３ｂとを有していて、図示していない弱いばねによって時計方向へ回転するように付勢されているが、その回転は、支持板４に設けられた折曲部４ｄによって阻止され得るようになっている。そして、その被押動部２３ａは、後羽根用駆動部材１３の押動部１３ｄの作動軌跡内に臨まされている。尚、上記のように仲介部材２３を付勢しているばねは、図６の状態において、接点部９ｂが、仲介部材２３の押動部２３ｂによって操作されない程度の弾性を有している場合には、必ずしも必要とするものではない。
【００４３】
また、第１実施例においては、支持板４の接点部４ｃが、図面上、軸１ｆの上方位置に設けられていたが、本実施例においては、支持板４の形状を変えることによって、軸１ｆの右下方位置に設けている。更に、第１実施例においては、接点部材９の接点部９ｂが、図面上、軸１ｆの上方位置に配置されていたが、本実施例においては、軸１ｆの右下方位置において、支持板４の接点部４ｃと仲介部材２３の押動部２３ｂとの間に配置されている。そして、この構成の特徴は、接点部９ｂを有している折曲部を短く形成できることにあり、このように構成することによって、接点部材９をプリント配線板５にハンダ付けするとき、第１実施例の場合よりも、接点部９ａ，９ｂの位置決めが容易となり、作業性が良好となる。更に、その折曲部を短くしたことにより、振動等によって、第２スイッチが偶然オン状態になってしまうという恐れがなくなる。
【００４４】
次に、本実施例の作動を説明する。但し、本実施例における、先羽根用駆動部材１０と先羽根群との作動、及び後羽根用駆動部材１３と後羽根群との作動は、第１実施例の場合と何ら変わらない。また、セット部材１６と各駆動部材１０，１３との関係も同じである。更に、接点部８ａ，９ａで構成される第１スイッチと、接点部４ｃ，９ｂで構成される第２スイッチのオン，オフ時機も全く同じである。そのため、以下の作動説明は簡略化して行なうものとし、説明されていないところについては、第１実施例の説明に準じるものとする。尚、既に説明したように、本実施例に用いられている図５〜図８は、第１実施例における図１〜図４に夫々対応した状態を示している。
【００４５】
図５は、露光作動終了直後の状態を示している。従って、第１スイッチを構成している二つの接点部８ａ，９ａは、第１実施例の場合と全く同様にして、接点部９ａが先羽根用駆動部材１０の押動部１０ｄに押されて接触させられている。他方、第２スイッチを構成している二つの接点部４ｃ，９ｂは、後羽根用駆動部材１３の押動部１３ｄが、仲介部材２３の被押動部２３ａを図示していないばねの付勢力に抗して押し、それによって仲介部材２３の押動部２３ｂが接点部９ｂを押すことによって接触させられている。そして、言うまでもなく、この状態においては、先羽根群の複数枚の羽根は重畳されて開口部１ａの下方位置に格納され、後羽根群の複数枚の羽根は展開されて開口部１ａを覆っている。
【００４６】
セット作動に際して、セット部材１６が時計方向へ回転させられると、先ず、先羽根用駆動部材１０が反時計方向へ回転させられるが、このとき、接点部９ａに対する押動部１０ｄの押圧力が解かれるので、接点部９ａは接点部８ａから離れ、また、先羽根群の複数枚の羽根は展開されつつ上方へ移動していく。その後、セット部材１６によって後羽根用駆動部材１３も反時計方向へ回転させられるが、この回転によって、押動部１３ｄによる被押動部２３ａに対する押圧力が解除されるので、仲介部材２３は、図示していないばねの付勢力によって折曲部４ｄに阻止されるまで時計方向へ回転する。そして、その過程において、接点部９ｂに対する押動部２３ｂによる押圧力が解かれるので、接点部９ｂが自己の弾性によって接点部４ｃから離れる。他方、後羽根群の複数枚の羽根は重なり量を大きくしつつ上方へ移動されて行き、図６のセット状態になったときには、先羽根群の複数の羽根が開口部１ａを覆うようになる。
【００４７】
次の撮影に際して、カメラのレリーズボタンが押されると、先ず、各電磁石のコイルに通電され、次に、セット部材１６が初期位置へ復帰する。その後、最初に先羽根用電磁石のコイルに対する通電が断たれ、所定時間後には後羽根用電磁石に対する通電が断たれることになるが、フラッシュ撮影モードのときだけは、必ず、先羽根群のスリット形成羽根１９が開口部１ａを完全に全開にしてから、後羽根群のスリット形成羽根２２が開口部１ａを覆い始めるようにさせられる。
【００４８】
そして、フラッシュ撮影モードのときには、スリット形成羽根１９が開口部１ａを全開にしたときに、第１スイッチによりフラッシュを発光させ、その直後に、先羽根用駆動部材１０が停止させられる。その停止状態が図７に示されている。その後、後羽根用駆動部材１３が作動させられると、その作動終了段階において、押動部１３ｄが、仲介部材２３の被押動部２３ａを、図示していないばねの付勢力に抗して押す。それによって仲介部材２３の押動部２３ｂが接点部９ｂを押し、第２スイッチをオン状態にする。しかしながら、この場合には、予め決められている時間を経過した後にオン状態となったので、そのオン信号は無視される。そして、その直後には、後羽根用駆動部材１３の作動が停止され、図５に示された状態となる。また、通常の撮影モードの場合には、上記のようにして第１スイッチがオン状態になってもフラッシュが発光されないようにされていて、第２スイッチについては、フラッシュ撮影モードの場合と同様に、オン信号を無視される。
【００４９】
次に、各駆動部材１０，１３が異常作動を行なった場合を説明するが、先羽根用駆動部材１０のみが異常作動を行なった場合は、上記の第１実施例の場合と全く同じである。そこで、後羽根用駆動部材１３のみが異常作動を行なった場合について説明する。図６の状態において、カメラのレリーズボタンが押されると、各電磁石に対して通電が行なわれ、その後、セット部材１６が、反時計方向へ回転させられる。そして、セット部材１６の押動部１６ｂが後羽根用駆動部材１３の被押動部１３ａから離れると、鉄片部材１５に対する保持力不足によって、後羽根用駆動部材１３は、後羽根用電磁石に対する通電の正規の遮断時機を待つことなく、図示していない後羽根用駆動ばねの付勢力によって時計方向へ回転させられてしまう。
【００５０】
そのため、後羽根群のスリット形成羽根２２が開口部１ａを正規に閉鎖したときと同じ段階で、後羽根用駆動部材１３の押動部１３ｄが仲介部材２３の被押動部２３ａを押し、第２スイッチをオン状態にしてしまう。そして、後羽根用駆動部材１３が、正規に露光作動を開始するときの一番早い時機よりも早く、第２スイッチがオン状態になったので、この場合には異常検出回路が機能し、異常作動が行なわれたことを表示装置に表示し、撮影者に認識させる。そのときの状態が図８に示されている。また、そのようにして異常検出回路が機能すると、たとえフラッシュ撮影モードになっていて、先羽根用駆動部材１０が正規の時機に作動を開始した場合でも、第１スイッチのオン状態は無視され、フラッシュが発光されないようにしてしまう。尚、先羽根用駆動部材１０と後羽根用駆動部材１３の両方が異常作動を行なった場合の説明は、第１実施例についての説明と同じである。
【００５１】
［第３実施例］
次に、図９〜図１２を用いて，第３実施例を説明する。本実施例の構成も、その殆どが第１実施例の構成と同じである。そのため、実質的に同じ部材，部位には同じ符号を付け、それらについての説明を省略することにし、異なる点だけを説明する。本実施例においては、支持板４に、第１実施例と第２実施例においては設けられていた接点部４ｃが設けられていない。また、接点部材８には、第１実施例において設けられていた接触部８ｂが設けられていない。そのため、支持板４と接点部材８とは電気的に接続しない構成になっている。その代わり、接点部材８は、図面上、上方へ長く延伸していて、その先端を折り曲げて接点部８ｃを形成している。従って、本実施例の場合には、接点部８ｃと接点部９ｂが第２スイッチを構成しており、電気的に極めて効率的な構成になっている。
【００５２】
次に、本実施例の作動を説明するが、本実施例の場合にも、全体構成は第１実施例の場合と大きく変わっておらず、第２実施例の場合と同様に、第２スイッチ関連の構成が変わっているだけである。そして、接点部８ａ，９ａで構成される第１スイッチと、接点部８ｃ，９ｂで構成される第２スイッチのオン，オフ時機も全く同じである。そのため、以下の作動説明は簡略的に行ない、説明されていないところについては、第１実施例の説明に準じるものとする。尚、本実施例に用いられている図９〜図１２は、第１実施例における図１〜図４に夫々対応した状態を示している。
【００５３】
図９は、露光作動終了直後の状態を示している。従って、第１スイッチを構成している二つの接点部８ａ，９ａは、第１実施例の場合と全く同じ状態である。他方、第２スイッチを構成している二つの接点部８ｃ，９ｂも、第１実施例における二つの接点部４ｃ，９ｂの場合と実質的に同じ状態である。そして、この状態においては、先羽根群の複数枚の羽根は重畳されて開口部１ａの下方位置に格納され、後羽根群の複数枚の羽根が展開されて開口部１ａを覆っている。
【００５４】
セット作動に際して、セット部材１６が時計方向へ回転させられると、先ず、先羽根用駆動部材１０が反時計方向へ回転させられて接点部９ａが接点部８ａから離れ、また、先羽根群の複数枚の羽根は展開されつつ上方へ移動していく。その後、セット部材１６が後羽根用駆動部材１３も反時計方向へ回転させるので、接点部９ｂが接点部８ｃから離れ、また、後羽根群の複数枚の羽根は重畳されつつ上方へ移動して、図１０のセット状態になったときには、先羽根群の複数の羽根が開口部１ａを覆うようになる。
【００５５】
次の撮影に際して、カメラのレリーズボタンが押されると、先ず、各電磁石のコイルに通電され、次に、セット部材１６が初期位置へ復帰し、その後、最初に先羽根用電磁石のコイルに対する通電が断たれ、所定時間後には後羽根用電磁石に対する通電が断たれる。そして、フラッシュ撮影モードのときには、開口部１ａを全開にした状態で第１スイッチがオン状態となりフラッシュを発光させ、先羽根用駆動部材１０は停止させられる。その停止状態が図１１に示されている。その後、後羽根用駆動部材１３が作動させられると、その作動終了段階において、押動部１３ｄが接点部９ｂを押し、第２スイッチをオン状態にする。しかしながら、この場合には、そのオン信号は無視される。そして、その直後には、後羽根用駆動部材１３が停止され、図９に示された状態となる。また、通常の撮影モードの場合には、第１スイッチがオン状態になってもフラッシュが発光されず、第２スイッチについては、フラッシュ撮影モードの場合と同じに、そのオン信号が無視される。
【００５６】
次に、各駆動部材１０，１３が異常作動を行なった場合を説明するが、この場合にも第１実施例の場合と実質的に同じようにして、異常検出が行なわれる。即ち、先羽根用駆動部材１０のみが異常作動を行なった場合は、第１実施例の場合と全く同じようにして異常検出が行なわれる。また、後羽根用駆動部材１３のみが異常作動を行なった場合にには、カメラのレリーズ後、各電磁石に通電され、セット部材１６が反時計方向へ回転させられると、その押動部１６ｂが後羽根用駆動部材１３の被押動部１３ａから離れることによって、後羽根用駆動部材１３が直ちに時計方向へ回転させられる。そして、押動部１３ｄが接点部９ｂを接点部８ｃに押し付けることによって第２スイッチをオン状態にさせる。
【００５７】
それによって、後羽根用駆動部材１３が正規に露光作動を開始したときよりも早く作動したことを異常検出回路が検出し、表示装置に表示して撮影者に認識させる。そのときの状態が図１２に示されている。また、そのようにして異常検出回路が機能した場合には、たとえフラッシュ撮影モードになっていて、且つ先羽根用駆動部材１０が正規の時機に作動を開始した場合でも、第１スイッチのオン状態は無視され、フラッシュが発光されないようにしてしまう。尚、先羽根用駆動部材１０と後羽根用駆動部材１３の両方が異常作動を行なった場合の説明は、第１実施例についての説明と同じである。
【００５８】
尚、周知のように、フォーカルプレンシャッタには、露光作動開始直前の状態において、各駆動部材を各電磁石の吸引力によって直接保持してしまうようにしたダイレクトタイプと、係止部材によって保持しておき電磁石がその保持を解除するようにした係止タイプとが知られている。上記の各実施例は、いずれも、それらのうちのダイレクトタイプのシャッタの場合で説明したが、本発明は、係止タイプのものにも適用することが可能である。また、フォーカルプレンシャッタの中には、セット状態において、先羽根と後羽根の両方で露光開口を覆っているようにした二重遮光方式と称されているシャッタが知られているが、本発明は、そのような構成のシャッタにも適用することが可能である。更に、本発明は、フイルム使用のスチルカメラのみならず、デジタルスチルカメラ用のフォーカルプレンシャッタにも適用することが可能である。
【００５９】
【発明の効果】
以上のように、本発明によれば、従来の先羽根と後羽根のリンク構成を全く変形させる必要がなく、しかも、先羽根用駆動部材の異常作動を検出するスイッチと、後羽根用駆動部材の異常作動を検出するスイッチとを、二つの接点部材を設けるだけで構成できるため最小の部品点数で済み、且つ一方のスイッチをフラッシュ用のスイッチと兼用させた場合には、部品点数の増加を全く必要としないという特徴を有している。
【図面の簡単な説明】
【図１】被写体側から視て略左半分だけを示した第１実施例の平面図であって、露光作動を終了した直後の状態を示したものである。
【図２】図１と同じようにして示した第１実施例の平面図であって、セット状態を示したものである。
【図３】図１と同じようにして示した第１実施例の平面図であって、先羽根群は露光作動を終了したが、後羽根群は未だ露光作動を開始していない状態を示したものである。
【図４】図１と同じようにして示した第１実施例の平面図であって、後羽根用駆動部材の異常作動の検出状態を示したものである。
【図５】被写体側から視て略左半分だけを示した第２実施例の平面図であって、露光作動を終了した直後の状態を示したものである。
【図６】図５と同じようにして示した第２実施例の平面図であって、セット状態を示したものである。
【図７】図５と同じようにして示した第２実施例の平面図であって、先羽根群は露光作動を終了したが、後羽根群は未だ露光作動を開始していない状態を示したものである。
【図８】図５と同じようにして示した第２実施例の平面図であって、後羽根用駆動部材の異常作動の検出状態を示したものである。
【図９】被写体側から視て略左半分だけを示した第３実施例の平面図であって、露光作動を終了した直後の状態を示したものである。
【図１０】図９と同じようにして示した第３実施例の平面図であって、セット状態を示したものである。
【図１１】図９と同じようにして示した第３実施例の平面図であって、先羽根群は露光作動を終了したが、後羽根群は未だ露光作動を開始していない状態を示したものである。
【図１２】図９と同じようにして示した第３実施例の平面図であって、後羽根用駆動部材の異常作動の検出状態を示したものである。
【符号の説明】
１                          シャッタ地板
１ａ                        開口部
１ｂ，１ｃ                  長孔
１ｄ，１ｅ，１ｆ，１ｇ，１ｈ，１ｉ，１ｊ  軸
１ｇ1，１ｈ1               ねじ孔
２，３                      緩衝部材
４                          支持板
４ａ，４ｂ                  ラッチェット爪
４ｃ，８ａ，８ｃ，９ａ，９ｂ  接点部
４ｄ                        折曲部
５                          プリント配線板
６，７                      鉄芯部材
８，９                      接点部材
８ｂ                        接触部
１０                        先羽根用駆動部材
１０ａ，１３ａ，１６ｃ，２３ａ  被押動部
１０ｂ，１３ｂ              駆動ピン
１０ｃ，１３ｃ              取付部
１０ｄ，１３ｄ，１６ａ、１６ｂ，２３ｂ  押動部
１１，１４                  ラッチェット部材
１２，１５                  鉄片部材
１３                        後羽根用駆動部材
１６                        セット部材
１７，１８，２０，２１      アーム
１９，２２                  スリット形成羽根
２３                        仲介部材
【図１】
0004450493.tif 000002
【図２】
0004450493.tif 000003
【図３】
0004450493.tif 000004
【図４】
0004450493.tif 000005
【図５】
0004450493.tif 000006
【図６】
0004450493.tif 000007
【図７】
0004450493.tif 000008
【図８】
0004450493.tif 000009
【図９】
0004450493.tif 000010
【図１０】
0004450493.tif 000011
【図１１】
0004450493.tif 000012
【図１２】
0004450493.tif 000013